(57)【要約】      【課題】  観察条件に拘わらず常に高い強度の反射光を得ることができるＯＣＴプローブを提供する。      【解決手段】  低コヒーレント光を伝送する光ファイバと、光ファイバから出射された光を該観察対象で結像させる対物光学系と、光ファイバ及び対物光学系を覆ったシースと、シースの外皮に取り付けられ、その内部に光を伝達させる媒体が封入されて、その一部が該管腔内に密着され得る二つの光伝達媒体封入手段であって、結像光路中に配置された第一の光伝達媒体封入手段と、対物光学系を挟んで第一の光伝達媒体封入手段と対向する位置に配置された、第一の光伝達媒体封入手段よりも大きいサイズの第二の光伝達媒体封入手段を備えたＯＣＴプローブを提供する。【選択図】      図２
2007054333.tif 000002
【特許請求の範囲】
【請求項１】
管腔内の観察対象の断層像を取得するためのＯＣＴプローブにおいて、
低コヒーレント光を伝送する光ファイバと、
前記光ファイバから出射された光を該観察対象で結像させる対物光学系と、
前記光ファイバ及び前記対物光学系を覆ったシースと、
前記シースの外皮に取り付けられ、その内部に光を伝達させる媒体が封入されて、その一部が該管腔内に密着され得る二つの光伝達媒体封入手段であって、
結像光路中に配置された第一の光伝達媒体封入手段と、
前記対物光学系を挟んで前記第一の光伝達媒体封入手段と対向する位置に配置された、前記第一の光伝達媒体封入手段よりも大きいサイズの第二の光伝達媒体封入手段と、を備えたこと、を特徴とするＯＣＴプローブ。
【請求項２】
前記二つの光伝達媒体封入手段のうちの少なくとも前記第一の光伝達媒体封入手段の内部に封入され得る媒体の量を調節するための媒体量調節手段を更に備えたこと、を特徴とする請求項１に記載のＯＣＴプローブ。
【請求項３】
管腔内の観察対象の断層像を取得して画像化するＯＣＴシステムにおいて、
請求項１又は請求項２の何れかに記載のＯＣＴプローブと、
前記光ファイバにより伝送された該観察対象からの反射光を処理して所定の信号に変換する信号処理手段と、
該所定の信号に基づいて該断層画像を表示する表示手段と、を備えたこと、を特徴とするＯＣＴシステム。
【発明の詳細な説明】
【技術分野】
【０００１】
この発明は、管腔内の観察対象の断層像を取得するためのＯＣＴ（Optical Coherence Tomography）プローブ、及び、該ＯＣＴプローブを備えたＯＣＴシステムに関する。
【背景技術】
【０００２】
患者の体腔内を観察するための機器として、内視鏡（ファイバースコープ）システムや電子内視鏡（電子スコープ）システムが広く知られ実用に供されている。内視鏡システムを用いた場合、照明光により観察対象（例えば患者の体腔内にある生体組織）が照明されて、その反射光（すなわち生体組織の光学像）が光ファイバにより伝送される。術者は、伝送された光学像を直接見ることにより体腔内を観察することができる。また、電子内視鏡システムを用いた場合、照明光により生体組織が照明されて、その反射光が撮像素子により受光される。受光された反射光は光電変換されて信号となり、当該信号は所定の処理が施されてモニタに出力される。術者は、体腔内の様相をモニタで観察することができる。これらのシステムを用いた場合、術者は、生体組織の表面部だけを観察することができる。従って病変部が例えば生体組織内部に存在している場合、それを的確に発見することは、術者にとって極めて困難なことであった。
【０００３】
近年、生体組織内部を観察するためのＯＣＴプローブを備えたＯＣＴシステムが種々提案されている。ＯＣＴシステムは、マイケルソン干渉計に基づいて考案された体腔内観察用のシステムであり、低コヒーレント光を利用することにより生体組織内部の観察を可能にさせている。術者は、ＯＣＴシステムを用いることにより生体組織内部の様相をモニタで観察することができる。
【０００４】
例えば下記特許文献１には、ＯＣＴプローブ先端に光伝達媒体封入手段（ここではバルーン）を配置することにより生体組織における反射光の効率を高めて、それにより、高Ｓ／Ｎ比の信号を取得して高画質の断層画像を生成することができるＯＣＴシステムが記載されている。
【特許文献１】特開２０００−３２９５３４号公報
【発明の開示】
【発明が解決しようとする課題】
【０００５】
生体組織内部では光は大幅に減衰し得るため、ＯＣＴプローブの先端に設置された対物光学系は、一般に高ＮＡで設計されている。また、ＯＣＴプローブの径は極めて細く、それに伴って対物光学系も極めて小さく設計されている。以上のことから、ＯＣＴプローブの対物光学系は、その焦点距離が極めて短い値となるように設計されている。
【０００６】
ＯＣＴプローブと対物光学系との距離が離れている場合、対物光学系からの出射光は、生体組織に到達するまでに大幅に減衰する上、当該生体組織で焦点を結ばない。この場合、その反射光の強度が低くなるため、高Ｓ／Ｎ比の信号を取得することができない。このためＯＣＴシステムは、高画質の断層画像を生成することができない。従ってＯＣＴシステムを用いて生体組織を観察する場合には、ＯＣＴプローブ先端を当該生体組織に近接させる必要がある。近接させた場合、対物光学系からの出射光は、生体組織に到達するまでにそれ程減衰しない上、当該生体組織で焦点を結ぶ。この場合、その反射光の強度が高くなるため、ＯＣＴシステムは高画質の断層画像を生成することができる。
【０００７】
ここで、例えば上記特許文献１に示されたＯＣＴシステムを用いて生体組織を観察する場合、ＯＣＴプローブ先端の周囲はバルーンによって覆われる。すなわちＯＣＴプローブ先端の略全周と生体組織との間にバルーンが介在する。上記生体組織が管腔内のものである場合、ＯＣＴプローブ先端は、バルーンにより管腔内の略中心に位置する。従って管腔内が比較的太い場合、ＯＣＴプローブ先端は、何れの生体組織からも比較的離れて位置し得る。これに伴って、ＯＣＴプローブに備えられた対物光学系と生体組織との距離も比較的離れる。このため、上記の如きＯＣＴシステムでは、高い強度の反射光が得られず、高画質の断層画像が生成され得ない。
【０００８】
そこで、本発明は上記の事情に鑑みて、その先端に光伝達媒体封入手段を備えたＯＣＴプローブにおいて、観察条件（例えば先端が位置する管腔内の径）に拘わらず常に高い強度の反射光を得ることができるＯＣＴプローブ、及び、該ＯＣＴプローブを備えたＯＣＴシステムを提供することを目的とする。
【課題を解決するための手段】
【０００９】
上記の課題を解決する本発明の一態様に係るＯＣＴプローブは、管腔内の観察対象の断層像を取得するためのものであり、低コヒーレント光を伝送する光ファイバと、光ファイバから出射された光を該観察対象で結像させる対物光学系と、光ファイバ及び対物光学系を覆ったシースと、シースの外皮に取り付けられ、その内部に光を伝達させる媒体が封入されて、その一部が該管腔内に密着され得る二つの光伝達媒体封入手段であって、結像光路中に配置された第一の光伝達媒体封入手段と、対物光学系を挟んで第一の光伝達媒体封入手段と対向する位置に配置された、第一の光伝達媒体封入手段よりも大きいサイズの第二の光伝達媒体封入手段を備えたことを特徴とする。
【００１０】
なお、上記ＯＣＴプローブは、二つの光伝達媒体封入手段のうちの少なくとも第一の光伝達媒体封入手段の内部に封入され得る媒体の量を調節するための媒体量調節手段を更に備えたものであっても良い。
【００１１】
また、上記の課題を解決する本発明の一態様に係るＯＣＴシステムは、管腔内の観察対象の断層像を取得して画像化するものであり、上記ＯＣＴプローブと、光ファイバにより伝送された該観察対象からの反射光を処理して所定の信号に変換する信号処理手段と、該所定の信号に基づいて該断層画像を表示する表示手段を備えたことを特徴とする。
【発明の効果】
【００１２】
本発明のＯＣＴプローブを採用すると、観察条件（例えば先端が位置する管腔内の径）に拘わらず常に高い強度の反射光を得ることができる。このため、ＯＣＴシステムにおいて高Ｓ／Ｎ比の信号が取得されて高画質の断層画像が生成され得る。
【発明を実施するための最良の形態】
【００１３】
以下、図面を参照して、本発明の実施の形態のＯＣＴシステムについて説明する。
【００１４】
図１は、本発明の実施の形態のＯＣＴシステム１０の構成を示したブロック図である。ＯＣＴシステム１０は、ＯＣＴプローブ１００、回転駆動装置２００、プロセッサ３００、及び、モニタ４００を有している。
【００１５】
ＯＣＴプローブ１００は、観察対象（例えば患者の体腔内にある生体組織）の断層像を得るために患者の体腔内に挿入されるプローブである。通常、内視鏡（不図示）の鉗子チャンネルに挿通され、その先端が当該チャンネル端部から突出された状態で使用される。回転駆動装置２００は、ＯＣＴプローブ１００から出射される測定光（後述）を走査するための機器である。プロセッサ３００は、主たる構成として、生体組織に照射されるべき光を出射する光源、及び、上記測定光に基づいて当該生体組織の断層像を画像化するための信号処理部を有している。モニタ４００は、プロセッサ３００で処理された信号により生体組織の断層画像を表示する。
【００１６】
プロセッサ３００は、制御部３１０、低コヒーレント光源３１２、フォトカップラ３１４、参照光用ファイバ３１６、参照光用レンズ３１８、参照ミラー３２０、ミラー駆動部３２２、測定光用ファイバ３２４、コネクタ部３２６、回転駆動部３２８、フォトディテクタ３３０、画像信号処理部３３２、及び、入力部３３４を有している。制御部３１０は、プロセッサ３００全体の制御を統括して実行するものであり、例えば低コヒーレント光源３１２、ミラー駆動部３２２、回転駆動部３２８、フォトディテクタ３３０、及び、画像信号処理部３３２等を制御する。
【００１７】
低コヒーレント光源３１２は、例えばＳＬＤ（Super Luminescence Diode）である。入力部３３４に設けられた光源用のスイッチ（不図示）がオンされると、低コヒーレント光源３１２は、制御部３１０の制御下で（例えば制御部３１０から発信される駆動パルスに応じて）、低コヒーレント光を出射する。低コヒーレント光源３１２から出射される低コヒーレント光はその可干渉距離が極めて短いものであり、その距離は例えば数十〜数百μｍ程度となっている。
【００１８】
測定光用ファイバ３２４は、低コヒーレント光源３１２とコネクタ部３２６との間で光を伝送するシングルモード光ファイバである。低コヒーレント光は、低コヒーレント光源３１２出射後、測定光用ファイバ３２４に入射されてその内部を伝送される。
【００１９】
測定光用ファイバ３２４の光路中にフォトカップラ３１４が配置されている。測定光用ファイバ３２４は、フォトカップラ３１４により参照光用ファイバ３１６と光学的に結合されている。参照光用ファイバ３１６は、測定光用ファイバ３２４とは別個に独立して設置されたシングルモード光ファイバである。従って、低コヒーレント光源３１２から出射された低コヒーレント光は、フォトカップラ３１４によって二つの光に分割される。一方の低コヒーレント光は、測定光として測定光用ファイバ３２４内を伝送される。また、もう一方の低コヒーレント光は、参照光として参照光用ファイバ３１６内を伝送される。
【００２０】
測定光は、測定光用ファイバ３２４内を伝送されてコネクタ部３２６に到達する。ここで、回転駆動装置２００は、その内部にファイバ（不図示）を有しており、コネクタ部３２６と光学的に接続されている。このため、測定光はコネクタ部３２６を介して回転駆動装置２００内部のファイバに入射される。また、回転駆動装置２００内部のファイバは、ＯＣＴプローブ１００とも光学的に接続されている。このため、測定光は上記ファイバを伝送されてＯＣＴプローブ１００内部に入射される。
【００２１】
図２（ａ）は、本発明の実施の形態のＯＣＴプローブ１００の構成を示した概略図である。図２（ｂ）は、ＯＣＴプローブ１００の正面図である。図２では、体腔内に挿入されている状態のＯＣＴプローブ１００を示している。ＯＣＴプローブ１００は、シングルモード光ファイバ１１０、ＧＲＩＮ（Gradient-index lens）レンズ１１２、直角プリズム１１４、シース１１６、バルーン１１８、１２０、送気・送水チャンネル１２２、１２４、及び、送気・送水装置１２６を有している。
【００２２】
測定光は、回転駆動装置２００内部のファイバを伝送後、シングルモード光ファイバ１１０内部に入射され、その内部を伝送される。次いで、シングルモード光ファイバ１１０から出射されてＧＲＩＮレンズ１１２に入射され、ＧＲＩＮレンズ１１２によって収束される。ＧＲＩＮレンズ１１２出射後、直角プリズム１１４によりその光路を９０°折り曲げられる（図２ではその光路が矢印Ａの方向とされる）。
【００２３】
シース１１６は、シングルモード光ファイバ１１０、ＧＲＩＮレンズ１１２、及び、直角プリズム１１４をその内部に保持したチューブであり、高い光透過率を有する材料で形成されている。特に、上記低コヒーレント光を高い効率で透過させることができる。測定光は、直角プリズム１１４の作用により、シース１１６を透過してその側面から外部に出射される。なお、シース１１６内部には、直角プリズム１１４とシース１１６内部の空間との屈折率差を軽減させるため、シリコン系のオイルが充填されている。
【００２４】
バルーン１１８及び１２０は、その内部に光を伝達させる媒体（例えば精製水や空気等の流動体）が封入され、シース１１６の外皮に取り付けられている。高い光透過率を有する材料（例えばシリコンゴム等）で形成され、伸縮自在である。ここで、バルーン１１８は、シース１１６から出射される測定光の光路中に配置され、シース１１６と生体組織との空間を埋めるように位置する。従って測定光は、シース１１６出射後、バルーン１１８内部を伝達されて生体組織に到達する。ここで、上記媒体の屈折率とシース１１６の屈折率は近い値であるため、シース１１６と上記空間（すなわちシース１１６と生体組織との空間）との屈折率差は小さくなっている。これに伴ってこれらの境界面における不要な反射光が軽減される。すなわち光量損失が軽減されるため、生体組織の画像を高画質で生成できるようになる。
【００２５】
測定光は、ＧＲＩＮレンズ１１２のパワーにより生体組織内部で結像する。次いで、当該生体組織内部で反射され、上述と同様の光路を進行して再びフォトカップラ３１４に入射される。すなわち反射された測定光は、バルーン１１８、シース１１６を介して直角プリズム１１４に入射され、その光路を９０°折り曲げられる。次いで、ＧＲＩＮレンズ１１２、シングルモード光ファイバ１１０、回転駆動装置２００内部のファイバ、コネクタ部３２６、及び、測定光用ファイバ３２４を介してフォトカップラ３１４に入射される。
【００２６】
回転駆動装置２００は、コネクタ部３２６を介してプロセッサ３００と電気的に接続されており、シングルモード光ファイバ１１０を、その軸を中心に回転させることができる。ＧＲＩＮレンズ１１２及び直角プリズム１１４は、シングルモード光ファイバ１１０と相対的に固定されている。このため、シングルモード光ファイバ１１０と共に回転し得る。例えば入力部３３４に設けられたラジアルスキャン用のスイッチ（不図示）がオンされると、回転駆動部３２８は、制御部３１０の制御下で、回転駆動装置２００に駆動パルスを出力して駆動制御する。これにより回転駆動装置２００は、シングルモード光ファイバ１１０、ＧＲＩＮレンズ１１２、及び、直角プリズム１１４を、ＯＣＴプローブ１００の他の構成要素及び生体組織に対して回転させる。直角プリズム１１４がシングルモード光ファイバ１１０の軸中心に回転することにより、測定光は、ＯＣＴプローブ１００のラジアル方向に沿って位置する生体組織に向けて出射されて走査（すなわちラジアルスキャン）される。なお、シングルモード光ファイバ１１０、ＧＲＩＮレンズ１１２、及び、直角プリズム１１４が回転し得る角度θは、例えば、直角プリズム１１４が何れの方向に向けられた場合であっても測定光がバルーン１１８内部を必ず伝達する角度の範囲内に収まり得る。このような角度θの範囲は、例えば図２の状態を中心（θ＝０）とした−４５°＜θ＜４５°であり得る。また、上記範囲は、例えばＯＣＴプローブ１００の全周（すなわち０°＜θ＜３６０°）であっても良い。
【００２７】
次に、フォトカップラ３１４により分割されて、参照光として参照光用ファイバ３１６内に入射された低コヒーレント光について説明する。
【００２８】
参照光は、参照光用ファイバ３１６内を伝送されて出射する。ここで、参照光用ファイバ３１６の末端部近傍に参照光用レンズ３１８が設置されている。また、参照光用レンズ３１８を挟んで上記端部と対向する位置に参照ミラー３２０が設置されている。参照ミラー３２０は、参照光用レンズ３１８の光軸に対して垂直な反射面を有している。従って参照光は、参照光用ファイバ３１６内を出射後、参照光用レンズ３１８を介して参照ミラー３２０に入射され、反射された後、参照光用レンズ３１８を介して参照光用ファイバ３１６内に再び入射される。入射された参照光は、参照光用ファイバ３１６内を伝送されてフォトカップラ３１４に入射される。
【００２９】
生体組織で反射された測定光と、参照ミラー３２０で反射された参照光は、フォトカップラ３１４において干渉する。但し、低コヒーレント光の可干渉距離は数十〜数百μｍ程度である。このため、生体組織の所定の断層からフォトカップラ３１４までの測定光の光路長と、参照ミラー３２０からフォトカップラ３１４までの参照光の光路長との差が、例えばミリオーダーの可干渉距離よりも大きい場合には、この２つの光は干渉しない。すなわち、この測定光と参照光の光路長の差が低コヒーレント光の可干渉距離以下の場合に限り、この２つの光は干渉する。
【００３０】
なお、ミラー駆動部３２２は、例えば板状の圧電素子を複数枚積層して構成されたアクチュエータであり、参照光の光軸と平行な方向に参照ミラー３２０を移動させることができる。ミラー駆動部３２２が参照ミラー３２０を移動させると、参照ミラー３２０からフォトカップラ３１４までの参照光の光路長が変化する。参照光の光路長が変化した場合、当該参照光と干渉し得る測定光の光路長も変化する。これは、ＯＣＴプローブ１００で測定され得る断層の深さの変化を意味する。
【００３１】
生体組織で反射された測定光と参照ミラー３２０で反射された参照光とがフォトカップラ３１４で干渉してフォトディテクタ３３０で受光されると、この干渉光は、当該フォトディテクタ３３０によって光電変換されて検出信号に変換される。
【００３２】
変換された検出信号は画像信号処理部３３２に入力される。画像信号処理部３３２は、検出信号に所定の処理を施してコンポジットビデオ信号やＳビデオ信号に変換し、モニタ４００に出力する。これらのビデオ信号がモニタ４００に出力されると、当該モニタ４００に生体組織の断層画像が表示される。
【００３３】
次に、バルーン１１８、１２０、送気・送水チャンネル１２２、１２４、及び、送気・送水装置１２６について詳説する。
【００３４】
送気・送水チャンネル１２２、１２４は、シース１１６の外皮に、その長手方向に沿って取り付けられている。送気・送水チャンネル１２２、１２４の一端は、それぞれ、バルーン１１８、１２０内部に位置する。また、送気・送水チャンネル１２２、１２４のもう一端は、送気・送水装置１２６に内蔵されたタンク（不図示）に結合されている。
【００３５】
送気・送水装置１２６は、上記タンクの他にポンプ機構（不図示）を内蔵している。タンク内には、バルーンに封入される媒体となり得る精製水又は空気が貯められている。送気・送水装置１２６は、タンク内に貯められた媒体を、ポンプ機構により送気・送水、及び、吸気・吸水することができる。
【００３６】
また、送気・送水装置１２６には、複数のスイッチ１２６ａ、１２６ｂ、１２６ｃ、及び、１２６ｄが設けられている。各スイッチには、それぞれ異なる機能が割り当てられている。例えばスイッチ１２６ａには、バルーン１１８に媒体を送気・送水する機能が割り当てられている。スイッチ１２６ａが押下されると、タンク内に貯められた媒体が、ポンプ機構によって吸い上げられて送気・送水チャンネル１２２内を流れていき、バルーン１１８に封入される。また、スイッチ１２６ｂには、バルーン１１８から媒体を吸気・吸水する機能が割り当てられている。スイッチ１２６ｂが押下されると、バルーン１１８に封入された媒体が、ポンプ機構によって吸い上げられて送気・送水チャンネル１２２内を流れていき、タンク内に再び貯められる。また、スイッチ１２６ｃには、バルーン１２０に媒体を送気・送水する機能が割り当てられている。スイッチ１２６ｃが押下されると、タンク内に貯められた媒体が、ポンプ機構によって吸い上げられて送気・送水チャンネル１２４内を流れていき、バルーン１２０に封入される。また、スイッチ１２６ｄには、バルーン１２０から媒体を吸気・吸水する機能が割り当てられている。スイッチ１２６ｄが押下されると、バルーン１２０に封入された媒体が、ポンプ機構によって吸い上げられて送気・送水チャンネル１２４内を流れていき、タンク内に再び貯められる。なお、媒体の送気・送水量、及び、吸気・吸水量は、各スイッチの押下回数や押下時間等で調整することができる。
【００３７】
バルーン１１８及び１２０には、ＯＣＴプローブ１００（より正確には、ＯＣＴプローブ１００が鉗子チャンネルに挿通された内視鏡）を患者の体腔内に挿入し始めた段階では媒体が封入されていない。ＯＣＴプローブ１００先端が観察対象に到達したときに初めて媒体が封入される。術者がスイッチ１２６ａ及び１２６ｃを押下すると、図２（ａ）及び（ｂ）に示されるように、バルーン１１８及び１２０に、その一部が生体組織と密着するように媒体が封入されていく。バルーン１１８及び１２０の一部が生体組織の一部を押圧した状態で密着するため、ＯＣＴプローブ１００先端は、生体組織に対して相対的に固定された状態となる。
【００３８】
上述したように、媒体が封入されたバルーン１１８は、シース１１６から出射される測定光の光路中に配置され、シース１１６と生体組織との空間を埋めるように位置している。これに対して媒体が封入されたバルーン１２０は、ＧＲＩＮレンズ１１２や直角プリズム１１４を挟んでバルーン１１８と対向する位置に配置され、シース１１６と生体組織との空間を埋めるように位置している。
【００３９】
ここで、図２（ａ）及び（ｂ）に示されるように、本実施形態のＯＣＴプローブ１００は、その先端が生体組織の一部に近接するよう、バルーン１１８とバルーン１２０とがそれぞれ異なるサイズに設計されている。説明を加えると、バルーン１１８はバルーン１２０よりもサイズが小さい。従ってＯＣＴプローブ１００先端は、管腔内の径に拘わらず、バルーン１２０を介してそれと対向した生体組織と離れ、且つ、バルーン１１８を介してそれと対向した生体組織と極めて近接して位置し得る。また、バルーン１１８及びバルーン１２０により、生体組織に対して相対的に固定される。生体組織が対物光学系（ＧＲＩＮレンズ１１２及び直角プリズム１１４）に対して近接して位置するため、当該対物光学系の焦点距離が短い場合であっても生体組織内部で測定光を結像させることができ、更には、測定光が生体組織に到達するまでにそれ程減衰しない。従って生体組織内部における反射光の強度が高くなる。このため、プロセッサ３００は、Ｓ／Ｎ比の高い検出信号を取得することができ、生体組織の断層画像をモニタ４００に高画質で表示させることができる。
【００４０】
また、バルーンに対する媒体の封入量を調整することにより、観察対象の生体組織とＯＣＴプローブ１００先端との距離を微調整することができる。バルーン１１８及び１２０に媒体を十分に封入した後、複数のスイッチ１２６ａ又は１２６ｂを押下してバルーン１１８に対する媒体の封入量を微調整すると、バルーン１１８の膨らみ具合の変化に伴って、ＯＣＴプローブ１００先端と生体組織との距離が変化する。すなわちＯＣＴプローブ１００先端を生体組織により近接させることも多少距離を空けさせることもできる。これにより、対物光学系の焦点位置が微調整されるため、術者は所望の断層像を得ることができる。なお、バルーン１１８及び１２０の双方に対する媒体の封入量を微調整することにより、ＯＣＴプローブ１００先端と生体組織との距離を微調整することもできる。
【００４１】
以上が本発明の実施形態である。本発明はこれらの実施形態に限定されるものではなく様々な範囲で変形が可能である。
【図面の簡単な説明】
【００４２】
【図１】本発明の実施の形態のＯＣＴシステムの構成を示したブロック図である。
【図２】本発明の実施の形態のＯＣＴプローブの構成を示した概略図である。
【符号の説明】
【００４３】
１０  ＯＣＴシステム
１００  ＯＣＴプローブ
１１８、１２０  バルーン
１２２、１２４  送気・送水チャンネル
１２６  送気・送水装置
３００  プロセッサ
４００  モニタ
【図１】
2007054333.tif 000003
【図２】
2007054333.tif 000004